【事件の表示】
　平成　８年特許願第１２５２５３号「口腔内洗浄器具」拒絶査定不服審判事件〔平成　９年１２月　２日出願公開、特開平　９−３０８６４１号〕について、次のとおり審決する。
【結　論】
　本件審判の請求は、成り立たない。
【理　由】
１．手続の経緯及び本願発明
　本願は、平成８年５月２１日に出願されたものであり、平成１４年４月２６日付けで拒絶査定がなされたところ、これに対し、平成１４年６月６日に拒絶査定に対する審判の請求がなされたものであって、その後、当審により拒絶の理由が通知され、平成１７年８月１日に手続補正書が提出されたものであり、その請求項１に係る発明（以下、「本願発明」という。）は、同上手続補正書により補正された特許請求の範囲の請求項１に記載された事項により特定される次のとおりのものである。
　
（本願発明）
「口腔内の粘膜、舌及び／又は歯に接触する先端を備え、口腔内で移動される、ブラシ毛と、
　ブラシ毛を支持する支持部分を備える、柄部分と、
　ブラシ毛に対して固定した位置に開口を有し、ブラシ毛に洗浄流体を供給する、洗浄流体管路と、
　洗浄流体管路から排出された後の洗浄流体を吸引する吸引口と、を有する口腔内洗浄器具において、
　ブラシ毛は、ブラシ毛の長手方向に平行な方向に見て開口と吸引口の端部の両方の周囲にＵ字形を形成し、洗浄流体管路は、吸引口内を延び、洗浄流体がブラシ毛を経て口腔内の粘膜、舌及び／又は歯に向けて案内されるようブラシ毛の長手方向に平行な方向とブラシ毛の長手方向に直角な方向との両方から見て吸引口の端部から離れる方向に且つブラシ毛の先端以外のブラシ毛の個所に向けて排出するように洗浄流体を案内する、ことを特徴とする口腔内洗浄器具。」
 
２．引用文献
（１）これに対して、当審の拒絶の理由に引用した実願昭６１−３９４３９号（実開昭６２−１５０９２６号）のマイクロフィルム（以下、「刊行物１」という。）には、図面の第１図とともに、次の事項が記載されている。
（イ）「この考案は、口腔内の汚物等の吸入ができ、さらに口腔内への湯水等の注水ができる歯ブラシに関する。」（明細書第１頁第１２〜１４行）
（ロ）「第１図はこの考案の一実施例を示す図である。　図中符号１は歯ブラシである。歯ブラシ１は、柄部２と刷掃部３とから構成されている。柄部２は柄部本体４と刷掃部ユニット５とからなつている。柄部本体４は、吸入部６と注入部７と吸入部６に注入部７を支持させる固定板８および支持金具９とからなつている。吸入部６は全体が管状のもので、その内部には吸入路１０ａが形成されている。…（中略）…　注水部７は、全体が小径の管状のもので、その内部には注水路１６が形成されている。この注水路１６は、注水部７の先端面７ａと後端面７ｂとに開口するとともに、先端面７ａに開口している部分が注水口１７となり、後端面７ｂに開口している部分が給水源１８に接続する給水源接続部１９となつている。固定板８は、吸入部６にＯリング２２を介在して回動自在に取り付けられているものである。この固定板８には、注水部７が固定されている。支持金具９は、吸引部６に回動自在に取り付けられているものである。この支持金具９には、注水部７が保持されている。　刷掃部ユニット５は角柱状のもので、その内部には吸入路１０ｂが形成されている。この吸入路１０ｂは、刷掃部ユニット５の一端面５ａと下面５ｂとに開口するとともに、これらの開口した部分に雌ねじ部１９および吸入口２０を形成してなるものである。雌ねじ部１９は、前記の吸入部６の雌ねじ部１２に螺合するようになつている。　刷掃部３は、刷掃部ユニット５の下面５ｂに植設された複数本の合成樹脂等による毛２１，２１…からなつている。　上記のように構成された歯ブラシ１を組み立てるには、まず柄部本体４の雄ねじ部１２と刷掃部ユニット５の雌ねじ部１６とを、刷掃部ユニット５の一端面５ａに吸入部６の大径部１３の端面が当接するまで螺合させ、次に固定部８と支持金具９とを図中矢印方向に回動して注水部７の注水口１７を刷掃部３に臨ませ、さらに負圧源接続部１５と給水源接続部１９とに負圧源１４と給水源１８とをそれぞれ接続する。」（明細書第３頁第１７行〜第６頁第５行）
（ハ）「次に、上記の歯ブラシ１の使用方法について説明する。…（中略）…次に、歯磨粉等を刷掃部３に付着させ、この刷掃部３によつて歯表面を一般の歯ブラシで行うのと同様に刷掃する。そしてこの場合に、歯表面の刷掃の合間に注水口１７より湯水等を注水することによつて歯表面を洗浄し、また歯表面を覆つている歯磨粉等を洗い流すことによつて口腔内の刷掃程度を確認する。この水または汚物等を吸入口２０より同時に吸入することによつて口腔外へ排出し、水または汚物等を気管等に詰まらせることがないようにする。…（中略）…　以上に述べたように、この歯ブラシ１は、負圧源１４および給水源１８を接続することにより、口腔内の刷掃の際に口腔内の汚物等の吸入および口腔内への湯水等の注水ができるように構成されている。このことにより、この歯ブラシ１は、重症心身障害者の口腔内の刷掃を介補者等が行う場合に、刷掃の合間に歯表面を覆う歯磨粉等を洗い流し、この歯磨粉等を同時に吸入するため介補者等がその刷掃程度を容易に確認でき、したがってより効果的に刷掃が行える。また、この歯ブラシ１は、上記障害者の口腔内にたまつた水または汚物等を吸入することにより容易に口腔外へ排出することができるため、上記障害者がこの水または汚物等を気管に詰まらせるというような事故を防止することができる。」（明細書第６頁第６行〜第７頁第２０行参照）
　また、その第１図を見ると、小径の管状の注水部７の注水口１７が、刷掃部３の毛２１の長手方向に直角な方向から見て吸入口２０から離れる方向で且つ刷掃部３の毛２１に向けて注水するように配置された態様が示されている。
　
　上記（イ）〜（ハ）の記載事項及び図面に示された内容を総合すると、刊行物１には、次の発明（以下、「引用発明」という。）が記載されているといえる。
（引用発明）
「口腔内の歯に接触する先端を備え、口腔内を刷掃する複数本の合成樹脂等による毛２１，２１からなる刷掃部３と、その下面５ｂに刷掃部３を植設した刷掃部ユニット５を備える柄部２と、その注水口１７を刷掃部３に臨ませて湯水等を注水する小径の管状の注水部７と、当該注水部７から注水された後の水や汚物等を刷掃部ユニット５に形成した吸入口２０から吸入する吸入路１０ａ，１０ｂと、を有する歯ブラシであって、小径の管状の注水部７の注水口１７が、刷掃部３の毛２１の長手方向に直角な方向から見て吸入口２０から離れる方向で且つ刷掃部３の毛２１に向けて湯水等を注水するように構成された歯ブラシ。」
　
３．対比・判断
　そこで、本願発明と引用発明とを対比すると、その機能ないし構造から見て、引用発明の「歯ブラシ」は本願発明の「口腔内洗浄器具」に、引用発明の「口腔内の歯に接触する先端を備え、口腔内を刷掃する」「毛２１，２１からなる刷掃部３」は本願発明の「歯に接触する先端を備え、口腔内で移動されるブラシ毛」に、引用発明の「その下面５ｂに刷掃部３を植設した刷掃部ユニット５」は本願発明の「ブラシ毛を支持する支持部分」に、引用発明の「柄部２」は本願発明の「柄部分」に、引用発明の「注水口１７」を有する「湯水等を注水する小径の管状の注水部７」は本願発明の「開口を有し、ブラシ毛に洗浄流体を供給する、洗浄流体管路」に、引用発明の「注水部７から注水された後の水や汚物等を」「吸入する吸入路１０ａ，１０ｂ」は本願発明の「洗浄流体管路から排出された後の洗浄流体を吸引する吸引口」に、引用発明の「吸入口２０」は本願発明の「吸引口の端部」に、それぞれ相当するといえる。
　また、引用発明の「小径の管状の注水部７の注水口１７が、刷掃部３の毛２１の長手方向に直角な方向から見て吸入口２０から離れる方向で且つ刷掃部３の毛２１に向けて湯水等を注水するように構成された」点と本願発明の「洗浄流体管路は、吸引口内を延び、洗浄流体がブラシ毛を経て口腔内の粘膜、舌及び／又は歯に向けて案内されるようブラシ毛の長手方向に平行な方向とブラシ毛の長手方向に直角な方向との両方から見て吸引口の端部から離れる方向に且つブラシ毛の先端以外のブラシ毛の個所に向けて排出するように洗浄流体を案内する」点とは、共に「洗浄流体管路は、ブラシ毛の長手方向に直角な方向」「から見て吸引口の端部から離れる方向に且つブラシ毛」「に向けて排出するように洗浄流体を案内する」点で共通するといえる。
　してみると、両者は、
「口腔内の歯に接触する先端を備え、口腔内で移動される、ブラシ毛と、
　ブラシ毛を支持する支持部分を備える、柄部分と、
　ブラシ毛に対して固定した位置に開口を有し、ブラシ毛に洗浄流体を供給する、洗浄流体管路と、
　洗浄流体管路から排出された後の洗浄流体を吸引する吸引口と、を有する口腔内洗浄器具において、
　洗浄流体管路は、ブラシ毛の長手方向に直角な方向から見て吸引口の端部から離れる方向に且つブラシ毛に向けて排出するように洗浄流体を案内する、口腔内洗浄器具。」
である点で一致し、次の点で相違するといえる。
　
（相違点）
（Ａ）洗浄流体管路に関して、本願発明は、洗浄流体管路が、「吸引口内を延び」ているのに対して、引用発明では、そのような構成でない点（以下、「相違点Ａ」という）。
（Ｂ）洗浄流体管路による洗浄流体の排出方向に関して、本願発明は、「吸引口内を延び、洗浄流体がブラシ毛を経て口腔内の」「歯に向けて案内されるようブラシ毛の長手方向に平行な方向とブラシ毛の長手方向に直角な方向との両方から見て吸引口の端部から離れる方向に且つブラシ毛の先端以外のブラシ毛の個所に向けて排出するように洗浄流体を案内する」とされているのに対して、引用発明は、「刷掃部３の毛２１の長手方向に直角な方向から見て吸入口２０から離れる方向で且つ刷掃部３の毛２１に向けて湯水等を注水するように構成され」ている点（以下、「相違点Ｂ」という）。
（Ｃ）ブラシ毛に関して、本願発明は、「ブラシ毛の長手方向に平行な方向に見て開口と吸引口の端部の両方の周囲にＵ字形を形成し」ているのに対して、引用発明は、このような構成を備えていない点（以下、「相違点Ｃ」という）。
　
　そこで、上記の各相違点につき、以下検討する。
（相違点Ａについて）
　ところで、洗浄流体を供給する洗浄流体管路と当該洗浄流体管路から排出された後の洗浄流体を吸引する吸引口とを共に有する洗浄器具等において、その洗浄流体管路が吸引口内を延びる配置態様のものとして構成することは、例えば、実願昭５９−８１１１５号（実開昭６０−１９２８０８号）のマイクロフィルム（第２図に示された噴射孔１４と吸引ノズル３との配置態様に関する点参照）、実願昭６０−５５５０３号（実開昭６１−１７３０６３号）のマイクロフィルム（第１図及び第２図に示された二重管構造に関する点参照）や米国特許第４，６７２，９５３号明細書（第３図及び第４図に示された「passage２０」の配置に関する点参照）にも示されるように、従来より周知の技術であったといえる。
　そうすると、引用発明の洗浄流体管路の配置態様を、その吸引口内を延びるものと変更することは、当業者が容易に想到し得た設計上の変更であるといわざるを得ない。
　
（相違点Ｂについて）
　ところで、引用発明は、「その注水口１７を刷掃部３に臨ませて湯水等を注水する」ものであって、「刷掃部３によって歯表面を一般の歯ブラシで行うのと同様に刷掃」し、「歯表面の刷掃の合間に注水口１７より湯水等を注水することによって歯表面を洗浄し、また歯表面を覆っている歯磨粉等を洗い流す」（上記「２．の（ハ）参照）ものである。
　そうすると、引用発明を上記相違点Ａで指摘したところの配置態様のものと変更する際に、その洗浄流体管路から排出される洗浄流体の排出方向を、「ブラシ毛に向けて排出するように洗浄流体を案内する」という態様は当該変更後にも当然保持されるといえる。
　そして、上述の設計変更後における「ブラシ毛に向けて排出するように洗浄流体を案内する」という洗浄流体の排出方向の態様は、結果として、「洗浄流体がブラシ毛を経て口腔内の」「歯に向けて案内されるようブラシ毛の長手方向に平行な方向とブラシ毛の長手方向に直角な方向との両方から見て吸引口の端部から離れる方向に且つブラシ毛の先端以外のブラシ毛の個所に向けて排出するように洗浄流体を案内する」という洗浄流体の排出方向の態様となることが明らかである。
　したがって、相違点Ｂに係る本願発明の構成は、上記相違点Ａで指摘したところの配置態様と変更することにより、結果として、当業者が容易に想到し得たものということができる。
　
（相違点Ｃについて）
　例えば、原査定の拒絶理由に引用された特開平８−１１２１４３号公報や上記米国特許第４，６７２，９５３号明細書にも示されるように、口腔内の洗浄歯ブラシにおいて、ブラシ毛の配置形態を、その洗浄水の排出口やその水等の排出口の周囲を取り囲む形態のものと構成することは、従来より周知の技術であったといえる。
　また、上述の周囲を取り囲む形態としてＵ字形を選択したことにより格別な作用・効果が生じるということもできない。
　してみると、相違点Ｃに係る本願発明の構成は、引用発明におけるブラシ毛の配置形態として、従来より周知の配置形態を採用することにより当業者が容易に想到し得たものといえる。
　
　そして、本願発明の奏する作用・効果も、引用発明及び従来より周知の技術から当業者が予測し得るものであって、格別なものということができない。
　
　以上検討したことから、本願発明は、引用発明及び従来より周知の技術に基いて、当業者が容易に発明をすることができたものであるといえる。
　
４．むすび
　したがって、本願発明は、引用発明及び従来より周知技術に基いて、当業者が容易に発明をすることができたものであるから、特許法第２９条第２項の規定により特許を受けることができない。
　よって、結論のとおり審決する。